【事件の表示】
　平成１１年特許願第　　　　７６号「内蔵空気泡蓄積防止用のインクジェット方式プリントヘッド及びその製作方法」拒絶査定不服審判事件〔平成１１年　９月１４日出願公開、特開平１１−２４５４１８〕について、次のとおり審決する。
【結　論】
　本件審判の請求は、成り立たない。
【理　由】
１　手続の経緯
　本願は、平成１１年１月４日（パリ条約による優先権主張・１９９８年１月８日、米国）の出願であって、平成２０年１月９日付け拒絶理由通知に対して、同年４月１日付けで意見書とともに手続補正書が提出されたところ、同年７月４日付けで拒絶査定がなされ、これに対し、同年１０月１日付けで拒絶査定不服審判が請求されるとともに、同日付けで明細書についての手続補正がなされたものである。
　これに対し、当審において、平成２０年１１月１９日付けで審査官により作成された前置報告書について、平成２１年８月２６日付けで審尋を行ったところ、審判請求人は同年１１月１９日付けで回答書を提出した。
　
　
２　平成２０年１０月１日付け手続補正について
（１）平成２０年１０月１日付けの手続補正（以下「本件補正」という。）は、特許請求の範囲及び発明の詳細な説明についてするものであり、その補正前後の特許請求の範囲の記載は次のとおりのものである。（注．下線は審決にて付した。以下同様。）
　ア　本件補正前の特許請求の範囲（平成２０年４月１日付け手続補正後のもの）
「【請求項１】
　その一面上に加熱エレメントのアレイ、アドレス指定回路、および電気パルスを各加熱エレメントに選択付加し、インク液滴をプリントヘッドから放出する各選択付加パルスを与えるリード線を設けたヒータプレートと、
　このヒータープレートの上に蒸着された平坦構造体構成とを備え、
　前記平坦構造体構成は、実質的に等しい断面積と対向する端部とを有する複数のインク流走行チャンネルを備え、前記インク流走行チャンネルは、一端を開放し、他端をインク貯槽と流体流通状態としており、前記インク貯槽は、インク入口を有すると共に、インク液滴がプリントヘッドから放出される場合、前記インク流走行チャンネルを毛管作用により再充填するインクを供給し、さらに前記インク貯槽のインク流れ方向の断面積は、前記複数のインク流走行チャンネルのインク流れ方向の全断面積と実質的に等しい、内蔵空気泡蓄積防止用のインクジェット方式プリントヘッド。
【請求項２】
　（ａ）その一面上に加熱エレメントのアレイ、アドレス指定回路、および電気パルスを各加熱エレメントに選択付加し、このプリントヘッドからインク液滴を放出する各選択付加パルスを与えるリード線を設けた、ヒータプレートを提供する段階と、
　（ｂ）加熱エレメントのアレイを備えたヒータプレート面上に、感光性重合体層を蒸着する段階と、
　（ｃ）感光性重合体層をパターンニングし、共通マニホルド、および実質的に等しい断面積と対向する端部とを有する複数のインク流走行チャンネルを構成させ、このインク流走行チャンネルの一端を開放し、他端を前記共通マニホルドに連結する段階と、
　（ｄ）内側に開口部を設けた被覆プレートをパターニングされた感光性重合体層に整合、接着し、被覆プレートの開口部と感光性重合体層中の共通マニホルドとを整合させ、被覆プレートの開口部と共通マニホルドとでプリントヘッドのためのインク貯槽を形成し、前記インク貯槽のインク流れ方向の断面積が、前記複数のインク流走行チャンネルのインク流れ方向の全断面積と実質的に等しくなるようにする段階とを含む、内蔵空気泡蓄積防止用のインクジェット方式プリントヘッドの製作方法。」
　イ　本件補正後の特許請求の範囲
「【請求項１】
　その一面上に加熱エレメントのアレイ、アドレス指定回路、および電気パルスを各加熱エレメントに選択付加し、インク液滴をプリントヘッドから放出する各選択付加パルスを与えるリード線を設けたヒータプレートと、
　このヒータープレートの上に蒸着された平坦構造体構成とを備え、
　前記平坦構造体構成は、
等しい
前記インク貯槽内のインク流れ方向に直交する方向における前記インク貯槽の断面積は、前記複数のインク流走行チャンネル内のインク流れ方向に直交する方向における前記複数のインク流走行チャンネルの全断面積と等しい、
【請求項２】
　（ａ）その一面上に加熱エレメントのアレイ、アドレス指定回路、および電気パルスを各加熱エレメントに選択付加し、このプリントヘッドからインク液滴を放出する各選択付加パルスを与えるリード線を設けた、ヒータプレートを提供する段階と、
　（ｂ）加熱エレメントのアレイを備えたヒータプレート面上に、感光性重合体層を蒸着する段階と、
　（ｃ）感光性重合体層をパターンニングし、共通マニホルド、および
等しい
　（ｄ）内側に開口部を設けた被覆プレートをパターニングされた感光性重合体層に整合、接着し、被覆プレートの開口部と感光性重合体層中の共通マニホルドとを整合させ、被覆プレートの開口部と共通マニホルドとでプリントヘッドのためのインク貯槽を形成し、
前記インク貯槽内のインク流れ方向に直交する方向における前記インク貯槽の断面積が、前記複数のインク流走行チャンネル内のインク流れ方向に直交する方向における前記複数のインク流走行チャンネルの全断面積と等しくなるようにする
　
（２）本件補正のうち、特許請求の範囲についてする補正は、以下の補正内容アないしウよりなるものである。
　ア　本件補正前の請求項１及び２において、「実質的に等しい断面積」とあったものを「等しい断面積」として、「実質的に」という不明確な記載を削除する。
　イ　本件補正前の請求項１の「前記インク貯槽のインク流れ方向の断面積は、前記複数のインク流走行チャンネルのインク流れ方向の全断面積と実質的に等しい、」を「前記インク貯槽内のインク流れ方向に直交する方向における前記インク貯槽の断面積は、前記複数のインク流走行チャンネル内のインク流れ方向に直交する方向における前記複数のインク流走行チャンネルの全断面積と等しい、」として、「インク流れ方向の断面積」が「インク流れ方向に直交する方向」の「断面積」であることを明確にするとともに、「実質的に等しい」を「等しい」として、「実質的に」という不明確な記載を削除する。
　ウ　本件補正前の請求項２の「前記インク貯槽のインク流れ方向の断面積は、前記複数のインク流走行チャンネルのインク流れ方向の全断面積と実質的に等しくなるようにする」を「前記インク貯槽内のインク流れ方向に直交する方向における前記インク貯槽の断面積は、前記複数のインク流走行チャンネル内のインク流れ方向に直交する方向における前記複数のインク流走行チャンネルの全断面積と等しくなるようにする」として、「インク流れ方向の断面積」が「インク流れ方向に直交する方向」の「断面積」であることを明確にするとともに、「実質的に等しい」を「等しい」として、「実質的に」という不明確な記載を削除する。
　
（３）本件補正のうち、上記補正内容アないしウよりなる特許請求の範囲に対してする補正は、本件補正前の請求項１及び２に対してする、明りようでない記載の釈明であると認められることから、平成１４年法律第２４号改正附則第２条第１項によりなお従前の例によるとされる同法による改正前の特許法第１７条の２第４項第４号に掲げる事項を目的とするものであり、適法になされたものと認められる。
　
　
３　本願発明
　本願の請求項１及び２に記載された発明は、平成２０年１０月１日付け手続補正書にて補正された前記「２（１）イ」に記載したとおりのものであるところ、請求項１に係る発明（以下「本願発明」という。）は、前記「２（１）イ」にて請求項１として記載したとおりのものである。
　
　
４　引用文献
　原査定の拒絶の理由に引用され、本願の優先権主張の日前に頒布された刊行物である特開平４−１８２１３６号公報（以下「引用文献」という。）には、図示とともに以下の事項が記載されていると認められる。
（１）「そこで、この発明は、上記従来技術の問題点を解決するためになされたもので、その目的とするところは、ルーフシューター型のみではなく、サイドシューター型のヘッドにおいても、キャビテーションによるダメージを簡易な手段で防止するとともに、
ノズルの開口部からの気泡抱き込みをなくし、安定した噴射特性を有するインクジェット記録ヘッド
　
（２）「第２図乃至第４図はこの発明に係るインクジェット記録ヘッドの一実施例を示すものである。
　図において、１はインクジェット記録ヘッドを示すものであり、この
インクジェット記録ヘッド１は、
ヒータ基板２上にチャネル基板３を接合することにより、両基板２、３間の基端側に形成される容積の大きなインク溜４と、両基板２、３間の先端側に形成され且つインク溜４に連通した状態で個々に分割された複数のノズル５、５…とを有している。
　
上記ヒータ基板２上には、
　さらに、上記第一の蓄熱層７及び第二の蓄熱層８の上部には、抵抗体層９、９…がその中央より先端側が第二の蓄熱層８上に、その中央より後端側が第一の蓄熱層７上に、それぞれ位置するように積層形成されている。上記
抵抗体層９、９…は、ノズル５、５…の配列に対応したピッチで、細い帯状に
形成されている。
　また、第一の蓄熱層７及び第二の蓄熱層８上には、抵抗体層９、９…の先端部及び後端部に通電するための
２本の電極層１０、１１が
各々形成されている。
　
（３）「このように、表面に
各層が形成されたヒータ基板２と、別工程によってノズル５、５…、インク溜４及びインク供給口６が形成されたチャネル基板３とを張り合わせ
作成される。
　
（４）「すなわち、上記インクジェット記録ヘッドを用いて画像を記録するには、
電極層１０、１１を介して抵抗体層９、９…に画像信号に応じて通電し、抵抗体層９、９…を選択的に発熱させる。
抵抗体層９、９…の発熱に伴ってインクＩを加熱し、インクＩを気化させて気泡１６を発生させ、気泡１６の成長に伴う圧力によってインク滴１７をノズル５から吐出させて、
記録紙（図示せず）上に、インク滴１７を付着させて画像の記録を行う。
　
（５）引用文献の明細書ならびに図面全体を参酌しつつ、上記（１）ないし（４）を検討すると、引用文献には次の発明（以下「引用発明」という。）が記載されていると認められる。
「ノズルの開口部からの気泡抱き込みをなくし、安定した噴射特性を有するようにしたインクジェット記録ヘッド１であって、
　ヒータ基板２上にチャネル基板３を接合することにより、両基板２、３間の基端側に形成される容積の大きなインク溜４と、両基板２、３間の先端側に形成され且つ上記インク溜４に連通した状態で個々に分割された複数のノズル５、５…とを有し、
　上記ヒータ基板２上には、抵抗体層９、９…が、ノズル５、５…の配列に対応したピッチで、細い帯状に形成されるとともに、２本の電極層１０、１１が各々形成されており、
　各層が形成された上記ヒータ基板２と、別工程によって上記ノズル５、５…、上記インク溜４及びインク供給口６が形成された上記チャネル基板３とを張り合わせて作成されるインクジェット記録ヘッド１であり、
　上記電極層１０、１１を介して上記抵抗体層９、９…に画像信号に応じて通電し、該抵抗体層９、９…を選択的に発熱させ、該抵抗体層９、９…の発熱に伴ってインクＩを加熱し、インクＩを気化させて気泡１６を発生させ、気泡１６の成長に伴う圧力によってインク滴１７をノズル５から吐出させて、記録紙上に、インク滴１７を付着させて画像の記録を行う、インクジェット記録ヘッド１。」
　
　
５．対比
（１）引用発明の「ヒータ基板２」、「インク溜４」、「ノズル５、５…」、「抵抗体層９、９…」、「インク供給口６」、「インク滴１７」及び「ノズル５から吐出」は、それぞれ、本願発明の「ヒータプレート」、「インク貯槽」、「複数のインク流走行チャンネル」、「加熱エレメント」、「インク入口」、「インク液滴」及び「プリントヘッドから放出」に相当する。
　
（２）引用発明は「抵抗体層９、９…が、ノズル５、５…の配列に対応したピッチで、細い帯状に形成される」ものであるところ、この抵抗体層９、９…が「ヒータ基板２」の一面上に設けられていることは自明である。
　よって、上記（１）に照らせば、引用発明の「抵抗体層９、９…が、ノズル５、５…の配列に対応したピッチで、細い帯状に形成され」ている「ヒータ基板２」は、本願発明の「その一面上に加熱エレメントのアレイ」を設けた「ヒータプレート」に相当するといえる。
　
（３）引用発明は「電極層１０、１１を介して抵抗体層９、９…に画像信号に応じて通電し、該抵抗体層９、９…を選択的に発熱させ」て「インク滴１７をノズル５から吐出」させるものであるから、「抵抗体層９、９…」に対し「選択的」に電気パルスを付加して「インク滴１７をノズル５から吐出」させるものといえる。
　よって、上記（１）に照らせば、引用発明は、本願発明の「電気パルスを各加熱エレメントに選択付加し、インク液滴をプリントヘッドから放出する各選択付加パルスを与える」との事項を備えているといえる。
　
（４）引用発明は「抵抗体層９、９…を選択的に発熱させ」るものであるから、各「抵抗体層９、９…」を選択的に指定するためのアドレス指定回路を有するものであることは、当業者に自明である。
　よって、引用発明は、本願発明の「アドレス指定回路」を備えているといえる。
　
（５）引用発明の「ノズル５、５…」は、「インク溜４に連通した状態」で形成されるものであって、かつ、「インク滴１７」を「吐出」するものであるから、一端が開放されて他端が「インク溜４」と流体流通状態にあるものといえる。
　よって、上記（１）に照らせば、引用発明は、本願発明の「インク流走行チャンネルは、一端を開放し他端をインク貯槽と流体流通状態としており、」との事項を備えているといえる。
　
（６）引用発明の「インク溜４」は「インク供給口６」を有するものであるところ、この「インク供給口６」から「インク滴１７をノズル５から吐出させ」た後の「ノズル５、５…」に再充填するインクが供給されるものであることは、当業者に自明である。
　よって、上記（１）に照らせば、引用発明は、本願発明の「インク貯槽は、インク入口を有すると共に、インク液滴がプリントヘッドから放出される場合、インク流走行チャンネル」に「再充填するインキを供給」する、との事項を備えている。
　
（７）引用発明の「インクジェット記録ヘッド１」は、「ノズルの開口部からの気泡抱き込みをなくし、安定した噴射特性を有する」ものであるから、インクジェット記録ヘッド１が内蔵する空気泡が蓄積されないようにするものであるといえる。
　よって、引用発明の「ノズルの開口部からの気泡抱き込みをなくし、安定した噴射特性を有するインクジェット記録ヘッド１」は、本願発明の「内蔵空気泡蓄積防止用のインクジェット式記録ヘッド」に相当する。
　
（８）してみると、本願発明と引用発明とは以下の点で一致する。
＜一致点＞
「その一面上に加熱エレメントのアレイを設けたヒータプレートと、
　アドレス指定回路と、
　電気パルスを各加熱エレメントに選択付加し、インク液滴をプリントヘッドから放出する各選択付加パルスを与える構成と、
　複数のインク流走行チャンネルとを備え、
　前記インク流走行チャンネルは、一端を開放し、他端をインク貯槽と流体流通状態としており、
　前記インク貯槽は、インク入口を有すると共に、インク液滴がプリントヘッドから放出される場合、前記インク流走行チャンネルを再充填するインクを供給する、
　内蔵空気泡蓄積防止用のインクジェット方式プリントヘッド。」
　
（９）一方で、本願発明と引用発明とは、以下の点で相違する。
　ア　相違点１
　本願発明の「アドレス指定回路」は「ヒータプレート」に設けられる、との特定を有するのに対し、引用発明の「アドレス指定回路」はどこに設けられるものであるのか明示がなく、上記特定を有するか否か不明である点。
　イ　相違点２
　本願発明は、電気パルスを各加熱エレメントに選択付加し、インク液滴をプリントヘッドから放出する各選択付加パルスを与える「リード線」が「ヒータプレート」に設けられる、との特定を有するのに対し、引用発明は、電気パルスを各加熱エレメントに選択付加し、インク液滴をプリントヘッドから放出する各選択付加パルスを与える構成を有するものではあるものの、その具体的な構成については明示がなく、上記特定を有するか否か不明である点。
　ウ　相違点３
　本願発明は「ヒータプレートの上に蒸着された平坦構造体構成」であって、「等しい断面積と対向する端部とを有する複数のインク流走行チャンネルを備え」た平坦構造体構成を有するとの特定を有するのに対し、引用発明には「平坦構造体構成」を有するものであるかどうか明示がなく、上記特定を有するか否か不明である点。
　エ　相違点４
　本願発明の「インク貯槽」は、「毛管作用」によりインク流走行チャンネルにインクを再充填するとの特定を有するのに対し、引用発明の「インク溜２」は、ノズル５、５…にインクを再充填する際に「毛管作用」を用いるものであるかどうか明示がなく、上記特定を有するか否か不明である点。
　オ　相違点５
　本願発明は、「インク貯槽内のインク流れ方向に直交する方向における前記インク貯槽の断面積は、複数のインク流走行チャンネル内のインク流れ方向に直交する方向における前記複数のインク流走行チャンネルの全断面積と等しい」との特定を有するのに対し、引用発明は、「インク溜」のインク流れ方向に直交する方向における断面積と「ノズル５、５…」のインク流れ方向に直交する方向における断面積について開示されておらず、上記特定を有さない点。
　
　
　
６．判断
　上記各相違点について検討する。
（１）相違点１について
　ア　インクジェット式記録ヘッドという技術分野において、記録を行うための加熱素子を選択的に駆動するためのアドレス指定回路を、インクジェット式記録ヘッドのヒータ基板上に設ける技術は、本願の優先権主張の日前に周知のものである（例．特開平３−２２４７４１号公報（特に特許請求の範囲参照。「基板」、「電気熱変換素子」及び「電気熱変換素子駆動用の機能素子」が、それぞれ、「ヒータ基板」、「加熱素子」及び「アドレス指定回路」に相当する。）、特開平９−２０１９６５号公報（特に段落【００１５】、【００１８】〜【００２０】及び図３〜４参照。「Ｓｉ基板４０１」、「熱作用部１０８」及び「素子駆動ドライバ」が、それぞれ、「ヒータ基板」、「加熱素子」及び「アドレス指定回路」に相当する。）。以下「周知技術１」という。）
　イ　したがって、引用発明のアドレス指定回路を、上記周知技術１に基いて、ヒータ基板に設けることにより、もって相違点１に係る本願発明の構成とすることは、当業者ならば容易に想到することができたものである。
　
（２）相違点２及び４について
　ア　加熱素子に選択的に電気パルスを与えるリード線がヒータ基板に接続されたインクジェット式記録ヘッドであって、インク供給マニホルドから毛管作用により前記複数のノズルへインクを供給するインクジェット式記録ヘッドは、本願の優先権主張の日前に周知のものである。（例．特開平５−２０１００１号公報（特に段落【００１４】〜【００１５】及び図５参照。「発熱体２０」、「結線７２」及び「内側凹部５４」が、それぞれ、「加熱素子」、「リード線」及び「インク供給マニホルド」に相当する。）、特開平７−１７３３号公報（特に段落【０００９】〜【００１０】及び図２参照。「抵抗器３４」、「ワイヤボンド１４」及び「マニホルド２４」が、それぞれ、「加熱素子」、「リード線」及び「インク供給マニホルド」に相当する。）。以下「周知技術２」という。）
　イ　したがって、引用発明において、加熱素子に選択的に電気パルスを与える構成、及び、「インク溜２」からノズル５、５…にインクを供給する構成について、上記周知技術２を採用し、加熱素子に選択的に電気パルスを与えるために「リード線」を用いるとともに、「インク溜２」からノズル５、５…にインクを供給する際に「毛管作用」を利用するものとすることは、当業者ならば容易に想到することができたものである。
　よって、相違点２及び４に係る本願発明の構成は、当業者が、引用発明及び周知技術２から容易に想到することができたものである。
　
（３）相違点３について
　ア　加熱素子を備えたヒータ基板上に、ノズルを構成するためのインク流路を形成する構造体を蒸着により構成する技術は、本願の優先権主張の日前に周知のものである。（例．特開昭６１−１５４９４７号公報（特に特許請求の範囲、２ページ左下欄１６行〜同ページ右下欄８行、４ページ左上欄３行〜同ページ右上欄６行及び第１〜５図参照。「液体吐出エネルギー発生素子２」、「基板１」及び「液流路構成部材４」が、それぞれ、「加熱素子」、「ヒータ基板」及び「インク流路を形成する構造体」に相当する。）、特開平３−１８４８６９号公報（特に特許請求の範囲、２ページ右下欄最終行〜３ページ左上欄１２行、４ページ右上欄８行〜同ページ左下欄１１行及び第１〜５図参照。「液体吐出エネルギー発生素子２」、「基板１」及び「液流路構成部材４」が、それぞれ、「加熱素子」、「ヒータ基板」及び「インク流路を形成する構造体」に相当する。）。以下「周知技術３」という。）
　イ　インクジェット式記録ヘッドのノズルは、通常、全てのノズルが等しい断面積を有する（必要ならば、後述する周知技術４を例示する文献として挙げた特開平６−２３４２１２号公報（特に段落【００４２】。）、特開平６−２３４２１６号公報（特に段落【００４１】。）等を参照されたい。）とともに、インク供給マニホルドに対向する端部を有するものであるところ、引用発明におけるノズル５、５…を形成する際に、上記周知技術３である、ヒータ基板上にインク流路を形成する構造体を蒸着により構成する技術を採用することにより、全てのノズルが等しい断面積とインク供給マニホルドに対向する端部を有するインク流路を形成する構造体を蒸着により構成することは、当業者ならば容易に想到することができたものである。
　そして、このインク流路を形成する構造体は「平坦構造体構成」といえるものであることから、引用発明の「ノズル５、５…」について、上記周知技術３に基づいて、全てのノズルが等しい断面積とインク供給マニホルドに対向する端部を有するインク流路を形成する構造体を蒸着により構成してなる平面構造体構成により、「ノズル５、５…」を形成するようにすることにより、上記相違点３に係る本願発明の構成とすることは、当業者が容易に想到することができたものである。
　
（４）相違点５について
　ア　インクジェット式記録ヘッドという技術分野において、インクの流動抵抗を調節して印字品質を好適なものとするために、インク供給マニホルドのインク流れ方向に直交する方向の断面積Ｓ１と全ノズルの断面積の断面積の総和ＳＡの比Ｓ１／ＳＡを１以上とする技術は、本願の優先権主張の日前に周知のものである。（例．特開平６−２３４２１２号公報（特に段落【００３７】〜【００４５】，【００８９】及び図５〜７参照。）、特開平６−２３４２１６号公報（特に段落【００３６】〜【００４４】，【００８８】及び図５〜７参照。）。以下「周知技術４」という。）
　イ　引用文献の３ページ左上欄３行〜５行には、「このとき、周囲のインクＩがそこに引き込まれるわけであるが、その時どの程度の流路抵抗があるかによって気泡１０６が縮小しようとする力の成分が異なってくる。」との記載があり、また、５ページ右上欄１３行〜同ページ右下欄５行には「さらに説明すると、・・・（中略）・・・、さらには気泡１６が早期に消滅することによる圧力低下のためにインク溜４方向からの流路抵抗が低下していることにより、・・・（中略）・・・、ノズル５側方向の特に感光性樹脂１４側からのインク引き戻し力を低減させることができ、ノズル５の開口部からの気泡の抱き込みがなくなり、気泡の抱き込みによる噴射特性の劣化、不吐出を起こさない安定したインクジェット記録ヘッドを得ることができる。」との記載がある。
　上記記載からみて、引用発明における「気泡抱き込み」は、インク溜４及びノズル５におけるインクの「流路抵抗」と密接に関連するものであることが、当業者にとり自明である。
　ウ　したがって、引用発明において、「気泡抱き込み」の一因である、インク溜４及びノズル５におけるインクの「流路抵抗」をさらに好適なものとするために、上記周知技術４に基づいて、インク供給マニホルドであるインク溜４のインク流れ方向に直交する方向の断面積Ｓ１と全ノズル５、５…のインク流れ方向に直交する方向の断面積の総和ＳＡの比Ｓ１／ＳＡを１以上とすることは、当業者が容易に想到することができたものであり、その際の具体的な値として、インク溜４のインク流れ方向に直交する方向の断面積と全ノズル５、５…のインク流れ方向に直交する方向の断面積の総和とを等しいものとして、上記相違点５に係る本願発明の構成とすることは、当業者が適宜なし得た設計事項である
　
（５）効果について
　エ　効果について
　本願発明の奏する効果は、引用発明の奏する効果、周知技術１ないし周知技術４が各々奏する効果から当業者が予測できた程度のものである。
　
　
（６）まとめ
　上記のとおりであるから、本願発明は、当業者が、引用発明及び周知技術１ないし周知技術４に基づいて、当業者が容易に発明をすることができたものである。
　
　
７．むすび
　以上のとおり、本願発明は、本願の優先権主張の日前に頒布された刊行物に記載された発明及び周知技術に基づいて、容易に発明をすることができたものであるから、特許法第２９条第２項の規定により特許を受けることができないものである。
　したがって、その余の請求項について論及するまでもなく、本願は、拒絶すべきものである。
　
　よって、結論のとおり審決する。